(57)【要約】【課題】シートに貼付された際に剥がれにくくする。【解決手段】  帯状の樹脂シート２０上に、非接触状態で少なくとも情報の読み出しが可能なＩＣチップ１０が搭載されてなるスレッドにおいて、樹脂シート２０の周縁部に凹凸を形成する。【選択図】図１
2005209103.tif 000002
【特許請求の範囲】
【請求項１】
帯状のシート基材上に、非接触状態で少なくとも情報の読み出しが可能なＩＣチップが搭載されてなるスレッドであって、
前記シート基材は、周縁部の少なくとも一部に凹凸が形成されているスレッド。
【請求項２】
請求項１に記載のスレッドにおいて、
前記凹凸は、識別パターンを表現するように形成されていることを特徴とするスレッド。
【請求項３】
帯状のシート基材上に、非接触状態で少なくとも情報の読み出しが可能なＩＣチップが搭載されてなるスレッドであって、
前記シート基材は、前記ＩＣチップが搭載される面及びその反対側の面の少なくとも一方の面に凹部または穴部を有することを特徴とするスレッド。
【請求項４】
請求項１乃至３のいずれか１項に記載のスレッドが組み込まれたシート。
【発明の詳細な説明】
【技術分野】
【０００１】
本発明は、有価証券や紙幣等のシートに貼付されたり漉き込まれたりし、これらの真贋判定に用いられるスレッド及びそれが組み込まれたシートに関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、スレッドと呼ばれる部材を有価証券や紙幣に貼付したり漉き込んだりし、それにより、有価証券や紙幣の偽造防止を図る技術が考えられている。この技術においては、プラスチックフィルムや薄葉紙等が数ｍｍ程度の細幅に断裁されてなるスレッドを、有価証券や紙幣の表面から露出しないように、あるいは一部が表面から露出するように有価証券や紙幣の紙層に漉き込んでおき、このスレッドの有無によって、有価証券や紙幣の真贋判定が行われることになる。
【０００４】
さらに、近年においては、ＩＣチップが搭載されたスレッドを用いて有価証券や紙幣の真贋判定を行う技術が考えられている。この技術においては、数ｍｍ程度の細幅に断裁されたフィルムの片面にＩＣチップが接着されてなるスレッドを有価証券や紙幣の紙層に漉き込んでおき、有価証券や紙幣の使用時に、ＩＣチップに書き込まれた情報を読み出すことによって、有価証券や紙幣の真贋判定を行うことになる（例えば、特許文献１参照。）。
【特許文献１】特開２００２−３１９００６号公報
【発明の開示】
【発明が解決しようとする課題】
【０００５】
しかしながら、上述したようなスレッドにおいては、数ｍｍ程度の細幅に断裁されたフィルムの片面にＩＣチップが接着されているだけであるため、有価証券や紙幣等のシート、特に、樹脂からなるシートに貼付された際、剥がれやすいという問題点がある。
【０００６】
本発明は、上述したような従来の技術が有する問題点に鑑みてなされたものであって、有価証券や紙幣等のシートに貼付された際に剥がれにくいスレッド及びこれが組み込まれたシートを提供することを目的とする。
【課題を解決するための手段】
【０００７】
上記目的を達成するために本発明は、
帯状のシート基材上に、非接触状態で少なくとも情報の読み出しが可能なＩＣチップが搭載されてなるスレッドであって、
前記シート基材は、周縁部の少なくとも一部に凹凸が形成されている。
【０００８】
また、前記凹凸は、識別パターンを表現するように形成されていることを特徴とする。
【０００９】
また、帯状のシート基材上に、非接触状態で少なくとも情報の読み出しが可能なＩＣチップが搭載されてなるスレッドであって、
前記シート基材は、前記ＩＣチップが搭載される面及びその反対側の面の少なくとも一方の面に凹部または穴部を有することを特徴とする。
【００１０】
上記のように構成された本発明においては、シート基材の周縁部の少なくとも一部に凹凸が形成されたスレッドを、シートに形成された凹部内にて接着剤によってシートと接着すると、シート基材の周縁部に形成された凹凸の凹部内に接着剤が入り込んで固着し、それにより、スレッドと接着剤との間にてくさび効果が生じ、スレッドがシートから剥がれにくくなる。
【００１１】
また、識別パターンを表現するように凹凸を形成すれば、凹凸によって表現される識別パターンに応じた処理を行うことができる。
【００１２】
また、シート基材のＩＣチップが搭載される面及びその反対側の面の少なくとも一方の面に凹部または穴部が形成されたスレッドを、凹部または穴部が形成された面を接着面として接着剤によってシートに接着すると、シート基材に形成された凹部または穴部内に接着剤が入り込んで固着し、それにより、スレッドと接着剤との間にてくさび効果が生じ、スレッドがシートから剥がれにくくなる。
【発明の効果】
【００１３】
以上説明したように本発明においては、ＩＣチップが搭載されたシート基材の周縁部の少なくとも一部に凹凸が形成されているため、このスレッドを、シートに形成された凹部内にて接着剤によってシートと接着すると、シート基材の周縁部に形成された凹凸の凹部内に接着剤が入り込んで固着し、それにより、スレッドと接着剤との間にてくさび効果が生じ、スレッドがシートから剥がれにくくなる。
【００１４】
また、凹凸が、識別パターンを表現するように形成されているものにおいては、凹凸によって表現される識別パターンに応じた処理を行うことができる。
【００１５】
また、シート基材のＩＣチップが搭載される面及びその反対側の面の少なくとも一方の面に凹部または穴部を有するものにおいては、このスレッドを、凹部または穴部が形成された面を接着面として接着剤によってシートに接着すると、シート基材に形成された凹部または穴部内に接着剤が入り込んで固着し、それにより、スレッドと接着剤との間にてくさび効果が生じ、スレッドがシートから剥がれにくくなる。
【発明を実施するための最良の形態】
【００１６】
以下に、本発明の実施の形態について図面を参照して説明する。
【００１７】
（第１の実施の形態）
図１は、本発明のスレッドの第１の実施の形態を示す図であり、（ａ）は上面図、（ｂ）は（ａ）に示したＡ−Ａ’断面図である。
【００１８】
本形態は図１に示すように、シート基材である帯状の樹脂シート２０の一方の面に、非接触状態にて情報の書き込み及び読み出しが可能なＩＣチップ１０が搭載されて構成されている。また、樹脂シート２０は、ＰＥＴやＰＥＴ−ＧやＰＶＣ等からなり、周縁部の一部に鋸歯状の凹凸が形成されている。
【００１９】
また、ＩＣチップ１０は、接着剤（不図示）によって樹脂シート２０に接着されているが、その接着方法としては、樹脂シート２０のＩＣチップ１０が搭載される領域のみに接着剤を塗布しておき、接着剤が塗布された領域にＩＣチップ１０を搭載する方法や、樹脂シート２０のＩＣチップ１０が搭載される面の全面に接着剤を塗布しておき、その後、樹脂シート２０上にＩＣチップ１０を搭載する方法が考えられる。また、樹脂シート２０上にＩＣチップ１０を固定するための接着剤としては、ホットメルト糊等の熱可塑性接着剤や、紫外線を照射することにより溶融する紫外線硬化型接着剤等が考えられ、熱可塑性接着剤を用いた場合は、樹脂シート２０上にＩＣチップ１０を搭載した際に樹脂シート２０に対してＩＣチップ１０を加圧しながら加熱することにより接着剤を溶融させて樹脂シート２０とＩＣチップ１０とを接着し、また、紫外線硬化型接着剤を用いた場合は、樹脂シート２０上にＩＣチップ１０を搭載した際に樹脂シート２０に対してＩＣチップ１０を加圧しながら、樹脂シート２０のＩＣチップ１０が搭載される面とは反対側の面から紫外線を照射することにより接着剤を溶融させて樹脂シート２０とＩＣチップ１０とを接着する。ただし、紫外線硬化型接着剤を上述したように用いる場合は、樹脂シート２０を、紫外線を透過する材料から構成する必要がある。
【００２０】
上記のように構成されたスレッドにおいては、例えば、一方の面に接着剤が塗布され、有価証券や紙幣等のシートに貼付されて利用される。
【００２１】
図２は、図１に示したスレッド１が貼付されたシートの一例を示す図であり、（ａ）は上面図、（ｂ）は（ａ）に示したＡ−Ａ’断面図である。
【００２２】
本形態におけるシートは図２に示すように、図１に示したスレッド１が、シート部材２に形成された凹部２ａに嵌め込まれるようにシート部材２上に搭載され、接着剤３によってスレッド１とシート部材２とが接着されて構成されている。
【００２３】
ここで、本形態においては、スレッド１の周縁部に鋸歯状の凹凸が形成されているため、スレッド１を凹部２ａ内にてシート部材２と接着した際、図２（ａ）に示すように、スレッド１とシート部材２とを接着するための接着剤３が、スレッド１の周縁部に形成された凹凸の凹部に入り込んで固着し、それにより、スレッド１と接着剤３との間にてくさび効果が生じ、スレッド１が凹部２ａから剥がれにくくなる。
【００２４】
上記のようにスレッド１がシート部材２に接着されてなるシートを、ＩＣチップ１０に対して情報の書き込み及び読み出しが可能な情報書込／読出装置に近接させると、例えば、ＩＣチップ１０に書き込まれた情報が読み出され、読み出された情報に基づいて、シートの真贋判定が行われることになる。なお、ＩＣチップ１０においては、上述したようにＩＣチップ１０に書き込まれた情報のみによって真贋判定が行われる場合、ＩＣチップ１０に書き込まれた情報が非接触状態にて読み出される構成であればよく、非接触状態にて情報が書き込まれる構成を有する必要はない。
【００２５】
また、図１に示したようなスレッド１を有価証券や紙幣等のシートに貼付するのではなく、有価証券や紙幣等のシートの紙層内にスレッドを漉き込んで使用することも考えられる。その場合、例えば、多槽式円網抄紙機を用いて少なくとも２層の紙層から製造される抄紙を有価証券や紙幣等のシートとして使用し、有価証券や紙幣等のシートの製造時に紙層間にスレッドを漉き込んでおく。このようにスレッドが漉き込まれた有価証券や紙幣等のシートにおいても、上述したものと同様にして利用される。また、複数の紙が積層されてなる有価証券や紙幣等のシートにおいても、積層される紙の間にスレッドを挟み込んで使用することも考えられる。
【００２６】
なお、本形態においては、樹脂シート２０の周縁部の一部に鋸歯状の凹凸が形成されているが、樹脂シート２０の周縁部全周に凹凸を形成することも考えられ、また、凹凸の形状は鋸歯状のものに限らず、例えば、矩形波状や波形状のものやそれらを組み合わせたもの等、シート部材２に接着された際に凹部に接着剤が入り込むことができる形状のものであれば任意である。
【００２７】
また、この凹凸を、識別パターンを表現するように形成し、凹凸によって表現される識別パターンに応じた処理を行うことも考えられる。例えば、スレッド１毎に固有の識別パターンを表現するように凹凸を形成しておき、この凹凸によって表現される識別パターンを認識することにより、スレッドあるいはそれが組み込まれたシートを識別すること等が考えられる。
【００２８】
（第２の実施の形態）
図３は、本発明のスレッドの第２の実施の形態を示す図であり、（ａ）は上面図、（ｂ）は（ａ）に示したＡ−Ａ’断面図である。
【００２９】
本形態は図３に示すように、シート基材である帯状の樹脂シート１２０の一方の面に、非接触状態にて情報の書き込み及び読み出しが可能なＩＣチップ１１０が搭載されて構成されている。また、樹脂シート１２０は、ＰＥＴやＰＥＴ−ＧやＰＶＣ等からなり、ＩＣチップ１１０が搭載された面及びその反対側の面に複数の凹部１２１がそれぞれ形成されている。
【００３０】
また、ＩＣチップ１１０は、接着剤（不図示）によって樹脂シート１２０に接着されているが、その接着方法としては、樹脂シート１２０のＩＣチップ１１０が搭載される領域のみに接着剤を塗布しておき、接着剤が塗布された領域にＩＣチップ１１０を搭載する方法や、樹脂シート１２０のＩＣチップ１１０が搭載される面の全面に接着剤を塗布しておき、その後、樹脂シート１２０上にＩＣチップ１１０を搭載する方法が考えられる。また、樹脂シート１２０上にＩＣチップ１１０を固定するための接着剤としては、ホットメルト糊等の熱可塑性接着剤や、紫外線を照射することにより溶融する紫外線硬化型接着剤等が考えられ、熱可塑性接着剤を用いた場合は、樹脂シート１２０上にＩＣチップ１１０を搭載した際に樹脂シート１２０に対してＩＣチップ１１０を加圧しながら加熱することにより接着剤を溶融させて樹脂シート１２０とＩＣチップ１１０とを接着し、また、紫外線硬化型接着剤を用いた場合は、樹脂シート１２０上にＩＣチップ１１０を搭載した際に樹脂シート１２０に対してＩＣチップ１１０を加圧しながら、樹脂シート１２０のＩＣチップ１１０が搭載される面とは反対側の面から紫外線を照射することにより接着剤を溶融させて樹脂シート１２０とＩＣチップ１１０とを接着する。ただし、紫外線硬化型接着剤を上述したように用いる場合は、樹脂シート１２０を、紫外線を透過する材料から構成する必要がある。
【００３１】
上記のように構成されたスレッドにおいては、例えば、一方の面に接着剤が塗布され、有価証券や紙幣等のシートに貼付されて利用される。
【００３２】
図４は、図３に示したスレッド１０１が貼付されたシートの一例を示す図であり、（ａ）は上面図、（ｂ）は（ａ）に示したＡ−Ａ’断面図である。
【００３３】
本形態におけるシートは図４に示すように、図３に示したスレッド１０１が、シート部材１０２上に搭載されて接着剤１０３によってシート部材１０２と接着されて構成されている。
【００３４】
ここで、本形態においては、スレッド１０１のＩＣチップ１１０が搭載された面及びその反対側の面に複数の凹部１２１がそれぞれ形成されているため、スレッド１０１をシート部材１０２と接着した際、図４（ｂ）に示すように、スレッド１０１とシート部材１０２とを接着するための接着剤１０３が、スレッド１０１のシート基材１０２との接着面に形成された凹部１２１に入り込んで固着し、それにより、スレッド１０１と接着剤１０３との間にてくさび効果が生じ、スレッド１０１がシート部材１０２から剥がれにくくなる。
【００３５】
なお、ＩＣチップ１１０を樹脂シート１２０に接着する際に、樹脂シート１２０のＩＣチップ１１０が搭載される面の全面に接着剤を塗布しておいた場合は、樹脂シート１２０のＩＣチップ１１０が搭載された面に形成された凹部１２１がその接着剤によって埋められてしまうため、樹脂シート１２０のＩＣチップ１１０が搭載された面を接着面としてスレッド１０１とシート部材１０２とを接着しても上述した効果を得ることはできない。そのため、ＩＣチップ１１０を樹脂シート１２０に接着する際に、樹脂シート１２０のＩＣチップ１１０が搭載される面の全面に接着剤を塗布しておいた場合は、樹脂シート１２０のＩＣチップ１１０が搭載された面とは反対側の面を接着面としてスレッド１０１とシート部材１０２とを接着する必要がある。もしくは、ＩＣチップ１１０を樹脂シート１２０に接着するための接着剤と、スレッド１０１をシート部材１０２に接着するための接着剤１０３とを、例えば、同一の材料からなるものとして互いに混ざり合って接着し合うものとすれば、接着面を問わずにスレッド１０１をシート部材１０２に接着することができる。
【００３６】
上記のようにスレッド１０１がシート部材１０２に接着されてなるシートを、ＩＣチップ１１０に対して情報の書き込み及び読み出しが可能な情報書込／読出装置に近接させると、例えば、ＩＣチップ１１０に書き込まれた情報が読み出され、読み出された情報に基づいて、シートの真贋判定が行われることになる。なお、ＩＣチップ１１０においては、上述したようにＩＣチップ１１０に書き込まれた情報のみによって真贋判定が行われる場合、ＩＣチップ１１０に書き込まれた情報が非接触状態にて読み出される構成であればよく、非接触状態にて情報が書き込まれる構成を有する必要はない。
【００３７】
また、図３に示したようなスレッド１０１を有価証券や紙幣等のシートに貼付するのではなく、有価証券や紙幣等のシートの紙層内にスレッドを漉き込んで使用することも考えられる。その場合、例えば、多槽式円網抄紙機を用いて少なくとも２層の紙層から製造される抄紙を有価証券や紙幣等のシートとして使用し、有価証券や紙幣等のシートの製造時に紙層間にスレッドを漉き込んでおく。このようにスレッドが漉き込まれた有価証券や紙幣等のシートにおいても、上述したものと同様にして利用される。また、複数の紙が積層されてなる有価証券や紙幣等のシートにおいても、積層される紙の間にスレッドを挟み込んで使用することも考えられる。
【００３８】
なお、本形態においては、樹脂シート１２０のＩＣチップ１１０が搭載された面及びその反対側の面に複数の凹部１２１がそれぞれ形成されているが、ＩＣチップ１１０が搭載された面及びその反対側の面のうちいずれか一方の面のみに複数の凹部１２１を形成した場合であっても、この凹部１２１が形成された面がシート部材１０２との接着面となるようにスレッド１０１をシート部材１０２に接着すれば上記同様の効果を得ることができる。
【００３９】
また、本形態においては、樹脂シート１２０のＩＣチップ１１０が搭載された面及びその反対側の面に複数の凹部１２１がそれぞれ形成されているが、凹部１２１の代わりに穴部を形成した場合においても、スレッド１０１を接着剤１０３によってシート部材１０２に接着する際、接着剤１０３が穴部に入り込んで固着し、それにより、スレッド１０１と接着剤１０３との間にてくさび効果が生じ、スレッド１０１がシート部材１０２から剥がれにくくなる。
【００４０】
また、上述した２つの実施の形態にて示したものを組み合わせることも考えられる。その場合、図１に示したように周縁部に凹凸が形成され、かつ、図３に示したようにＩＣチップが搭載される面及びその反対側の面に複数の凹部がそれぞれ形成されたスレッドを、図２に示したようなシート部材に形成された凹部に嵌め込み接着剤によって接着すれば、スレッドの周縁部に形成された凹凸の凹部、並びにシート部材との接着面に形成された複数の凹部に接着剤が入り込み、スレッドと接着剤との間にてくさび効果が生じ、スレッドがシート部材から剥がれにくくなる。また、その場合においても、ＩＣチップが搭載された面及びその反対側の面のうちいずれか一方の面のみに複数の凹部を形成しておき、この凹部が形成された面がシート部材との接着面となるようにスレッドをシート部材に接着すればよい。
【００４１】
また、上述した２つの実施の形態においては、ＩＣチップ１０，１１０がそれぞれ搭載されるシート基材として、ＰＥＴやＰＥＴ−ＧやＰＶＣ等からなる樹脂シート２０，１２０を用いることによりスレッドの機械的強度が向上しているが、シート基材として紙や不織布からなるものを用いれば、スレッドと有価証券や紙幣等のシートとの接着性を向上させることができる。
【図面の簡単な説明】
【００４２】
【図１】本発明のスレッドの第１の実施の形態を示す図であり、（ａ）は上面図、（ｂ）は（ａ）に示したＡ−Ａ’断面図である。
【図２】図１に示したスレッドが貼付されたシートの一例を示す図であり、（ａ）は上面図、（ｂ）は（ａ）に示したＡ−Ａ’断面図である。
【図３】本発明のスレッドの第２の実施の形態を示す図であり、（ａ）は上面図、（ｂ）は（ａ）に示したＡ−Ａ’断面図である。
【図４】図３に示したスレッドが貼付されたシートの一例を示す図であり、（ａ）は上面図、（ｂ）は（ａ）に示したＡ−Ａ’断面図である。
【符号の説明】
【００４３】
１，１０１    スレッド
２，１０２    シート部材
２ａ，１２１    凹部
３，１０３    接着剤
１０，１１０    ＩＣチップ
２０，１２０    樹脂シート                                                                                
【図１】
2005209103.tif 000003
【図２】
2005209103.tif 000004
【図３】
2005209103.tif 000005
【図４】
2005209103.tif 000006